(57)【要約】  本発明の実施形態は、一般に３次元ビデオコンテンツの送信及び処理に関する。方法の実施形態が、インターネットプロトコルを利用して、ビデオデータを含むマルチメディアデータストリームを受信するステップと、この受信したビデオデータが３次元（３Ｄ）ビデオデータを含み、このビデオデータの各フレームが、第１のデータ領域及び第２のデータ領域を含むアクティブデータ領域よりも前に第１の垂直同期（Ｖｓｙｎｃ）信号を含むと判断するステップとを含む。この方法は、３Ｄビデオデータを３Ｄデータフォーマットから２次元（２Ｄ）ビデオフォーマットに変換するステップをさらに含み、この３Ｄビデオデータを変換するステップは、第１のデータ領域と第２のデータ領域の間の領域を識別するステップと、第１のデータ領域と第２のデータ領域の間に第２のＶｓｙｎｃ信号を挿入するステップと、第１のデータ領域と第２のデータ領域を区別するための識別子を提供するステップとをさらに含む。【選択図】      図７
2013514742.tif 000002
【特許請求の範囲】
【請求項１】
インターフェイスプロトコルを利用して、ビデオデータを含むマルチメディアデータストリームを受信するステップと、
前記受信したビデオデータが３次元（３Ｄ）ビデオデータを含み、前記ビデオデータの各フレームが、第１のデータ領域及び第２のデータ領域を含むアクティブデータ領域よりも前に第１の垂直同期（Ｖｓｙｎｃ）信号を含むと判断するステップと、
前記３Ｄビデオデータを３Ｄデータフォーマットから２次元（２Ｄ）ビデオフォーマットに変換するステップと、
を含み、前記３Ｄビデオデータを変換するステップが、
前記第１のデータ領域と前記第２のデータ領域の間の領域を識別するステップと、
前記第１のデータ領域と前記第２のデータ領域の間に第２のＶｓｙｎｃ信号を挿入するステップと、
前記第１のデータ領域と前記第２のデータ領域を区別するための識別子を提供するステップと、
を含む、
ことを特徴とする方法。
【請求項２】
前記識別子が、前記第２のＶｓｙｎｃ信号の位相を含む、
ことを特徴とする請求項１に記載の方法。
【請求項３】
前記第２のＶｓｙｎｃ信号を挿入するステップが、水平同期（Ｈｓｙｎｃ）信号の位相と整合していない前記第２のＶｓｙｎｃの前記位相を確立するステップを含む、
ことを特徴とする請求項２に記載の方法。
【請求項４】
前記識別子が、前記インターフェイスプロトコルにおいて使用されていないコマンドの値を含む、
ことを特徴とする請求項１に記載の方法。
【請求項５】
前記識別子が、前記第１のデータ領域と前記第２のデータ領域を識別するための分離信号を含む、
ことを特徴とする請求項１に記載の方法。
【請求項６】
前記インターフェイスプロトコルが、ＨＤＭＩ（商標）（高解像度マルチメディアインターフェイス）、ＤＶＩ（商標）（デジタルビデオインターフェイス）、又はＤｉｓｐｌａｙＰｏｒｔ（商標）のうちの１つである、
ことを特徴とする請求項１に記載の方法。
【請求項７】
前記第１のデータ領域が、視聴者の左目に対して表示するための左側データ領域、又は前記視聴者の右目に対して表示するための右側データ領域のいずれかであり、前記第２のデータ領域が、前記左側データ領域又は前記右側データ領域の他方である、
ことを特徴とする請求項１に記載の方法。
【請求項８】
前記変換したビデオデータを、前記３Ｄビデオフォーマットを復号できない受信装置へ送信するステップをさらに含む、
ことを特徴とする請求項１に記載の方法。
【請求項９】
３次元（３Ｄ）ビデオデータを２次元（２Ｄ）データフォーマットに変換するための装置であって、
インターフェイスプロトコルを介してビデオデータを受信するためのポートと、
前記受信したビデオデータを復号するためのデコーダと、
第１のデータ領域及び第２のデータ領域を含むアクティブデータ領域よりも前に第１の垂直同期（Ｖｓｙｎｃ）信号を含む受信した３Ｄビデオデータを検出するための検出器と、
前記第１のデータ領域と前記第２のデータ領域の間の領域を識別するための走査線カウンタと、
前記第１のデータ領域と前記第２のデータ領域の間に第２のＶｓｙｎｃ信号を挿入するための信号インサータと、
前記変換したビデオデータを符号化するためのエンコーダと、
を備え、前記第１のデータ領域と第２のデータ領域を区別するための識別子を提供するようになっている、
ことを特徴とする装置。
【請求項１０】
前記識別子が、前記第２のＶｓｙｎｃ信号の位相を含む、
ことを特徴とする請求項９に記載の装置。
【請求項１１】
前記第２のＶｓｙｎｃ信号を挿入する前記信号インサータが、水平同期（Ｈｓｙｎｃ）信号と整合していない前記第２のＶｓｙｎｃの前記位相を確立する前記信号インサータを含む、
ことを特徴とする請求項１０に記載の装置。
【請求項１２】
前記識別子が、前記インターフェイスプロトコルにおいて使用されていないコマンドの値を含み、前記装置が、データ領域のタイプを識別するために前記コマンドを送信するようになっている、
ことを特徴とする請求項９に記載の装置。
【請求項１３】
前記識別子が、前記第１のデータ領域と前記第２のデータ領域を識別するための分離信号を含む、
ことを特徴とする請求項９に記載の方法。
【請求項１４】
前記分離信号を送信するための、信号線への接続部をさらに備える、
ことを特徴とする請求項１３に記載の装置。
【請求項１５】
前記インターフェイスプロトコルが、ＨＤＭＩ（商標）（高解像度マルチメディアインターフェイス）、ＤＶＩ（商標）（デジタルビデオインターフェイス）、又はＤｉｓｐｌａｙＰｏｒｔ（商標）のうちの１つである、
ことを特徴とする請求項９に記載の装置。
【請求項１６】
前記第１のデータ領域が、視聴者の左目に対して表示するための左側データ領域、又は前記視聴者の右目に対して表示するための右側データ領域のいずれかであり、前記第２のデータ領域が、前記左側データ領域又は前記右側データ領域の他方である、
ことを特徴とする請求項９に記載の装置。
【請求項１７】
３次元（３Ｄ）ビデオデータを２次元（２Ｄ）フォーマットに変換するための変換器装置と、
前記変換器装置に結合されて、前記変換されたビデオデータを受信し、該変換されたビデオデータから前記３Ｄビデオデータを再構成する受信装置と、
を備え、前記変換器装置が、
第１のデータ領域及び第２のデータ領域を含むアクティブデータ領域よりも前に第１の垂直同期（Ｖｓｙｎｃ）信号を含む受信した３Ｄビデオデータを検出し、
前記第１のデータ領域と前記第２のデータ領域の間の領域を識別し、
前記第１のデータ領域と前記第２のデータ領域の間に第２のＶｓｙｎｃ信号を挿入し、
前記第１のデータ領域と前記第２のデータ領域を区別するための識別子を提供する、
ためのモジュールを含み、
前記受信装置が、前記識別子に少なくとも部分的に基づいて前記第１のデータ領域と前記第２のデータを区別するようになっている、
ことを特徴とするシステム。
【請求項１８】
前記識別子が、水平同期（Ｈｓｙｎｃ）信号に関連する前記第２のＶｓｙｎｃ信号の位相を含む、
ことを特徴とする請求項１７に記載のシステム。
【請求項１９】
前記変換器装置が、前記Ｈｓｙｎｃ信号と位相ずれした前記第２のＶｓｙｎｃ信号の位相を確立するようになっている、
ことを特徴とする請求項１８に記載のシステム。
【請求項２０】
前記識別子が、前記インターフェイスプロトコルにおいて使用されていないコマンドの値を含み、前記変換器装置が、データ領域のタイプを識別するために前記コマンドを送信するようになっている、
ことを特徴とする請求項１７に記載のシステム。
【請求項２１】
前記識別子が、前記第１のデータ領域と前記第２のデータ領域を識別するための分離信号を含む、
ことを特徴とする請求項１７に記載のシステム。
【請求項２２】
前記変換器装置と前記受信装置の間の、前記分離信号を送信するための信号線をさらに備える、
ことを特徴とする請求項２１に記載のシステム。
【請求項２３】
前記インターフェイスプロトコルが、ＨＤＭＩ（商標）（高解像度マルチメディアインターフェイス）、ＤＶＩ（商標）（デジタルビデオインターフェイス）、又はＤｉｓｐｌａｙＰｏｒｔ（商標）のうちの１つである、
ことを特徴とする請求項１７に記載のシステム。
【請求項２４】
前記受信装置が、前記識別子に少なくとも部分的に基づいて３Ｄデータの存在をさらに検出するようになっている、
ことを特徴とする請求項１７に記載のシステム。
【請求項２５】
プロセッサにより実行されたときに前記プロセッサに動作を行わせる一連の命令を表すデータを記憶するコンピュータ可読媒体であって、前記動作が、
インターフェイスプロトコルを利用して、ビデオデータを含むマルチメディアデータストリームを受信するステップと、
前記受信したビデオデータが３次元（３Ｄ）ビデオデータを含み、前記ビデオデータの各フレームが、第１のデータ領域及び第２のデータ領域を含むアクティブデータ領域よりも前に第１の垂直同期（Ｖｓｙｎｃ）信号を含むと判断するステップと、
前記３Ｄビデオデータを３Ｄデータフォーマットから２次元（２Ｄ）ビデオフォーマットに変換するステップと、
を含み、前記３Ｄビデオデータを変換するステップが、
前記第１のデータ領域と前記第２のデータ領域の間の領域を識別するステップと、
前記第１のデータ領域と前記第２のデータ領域の間に第２のＶｓｙｎｃ信号を挿入するステップと、
前記第１のデータ領域と前記第２のデータ領域を区別するための識別子を提供するステップと、
を含む、
ことを特徴とするコンピュータ可読媒体。
【発明の詳細な説明】
【技術分野】
【０００１】
〔関連出願との相互参照〕
本出願は、２００９年１２月１７日に出願された米国仮特許出願第６１／２８７，６８４号に関するとともに、これに対して優先権を主張するものであり、上記特許出願はその内容全体が引用により本明細書に組み入れられる。
【０００２】
本発明の実施形態は、一般にデータ通信の分野に関し、より詳細には、３次元ビデオコンテンツの送信及び処理に関する。
【背景技術】
【０００３】
いくつかのネットワークでは、第１の装置と第２の装置の間のデータリンクを介して様々な送信フォーマットでコンテンツデータを送信することができる。例えば、このコンテンツは、ビデオ及びオーディオデータを表すことができ、従って、何らかのフォーマットで送信されるビデオコンテンツデータを含むことができる。
【０００４】
いくつかの動作では、データストリームが複数のチャネルの形をとることができる。例えば、データは、第１の装置から第２の装置へ送信されるビデオ及びオーディオデータ又はその他のコンテンツデータのデータストリームを含むことができ、このコンテンツデータは、例えば左チャネル及び右チャネルを含む３次元（３Ｄ）フォーマットでカプセル化された複数のデータチャネルを含む。例えば、データは、ＨＤＭＩ（商標）１．４（高解像度マルチメディアインターフェイス１．４仕様，２００９年５月２８日公開）３Ｄビデオデータの形をとることができる。
【０００５】
一般に、視聴者の両目に単一の画像を提供する２次元（２Ｄ）ビデオフォーマットとは対照的に、３Ｄビデオフォーマットは、視聴者がわずかに異なる画像を各々の目で見て、画像内に奥行きの錯覚を作り出せるようにするものである。いくつかの実施構成では、３Ｄビデオデータの送信が、左側領域及び右側領域という２つのアクティブビデオ領域の配信を必要とする。
【先行技術文献】
【非特許文献】
【０００６】
【非特許文献１】「高性能シリアルバス標準（Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ）」１３９４〜１９９５ページ、ＩＥＥＥ、１９９６年８月３０日刊行、及び補足
【発明の概要】
【発明が解決しようとする課題】
【０００７】
しかしながら、一般に、３Ｄビデオフォーマットデータの受信では、受信装置がこのようなデータを処理できる必要がある。２Ｄデータを処理するように設計された受信装置は、３Ｄビデオフォーマットデータを処理することができない。
【課題を解決するための手段】
【０００８】
同じ参照番号が同様の要素を示す添付図面の図に、本発明の実施形態を限定ではなく一例として示す。
【図面の簡単な説明】
【０００９】
【図１】３Ｄビデオを２Ｄビデオフォーマットに変換するシステム構成の実施形態を示す図である。
【図２】３Ｄビデオフォーマットのビデオデータを変換する実施形態を示す図である。
【図３】データ領域タイプを示す専用信号を含むシステム構成の実施形態を示す図である。
【図４】領域タイプを示すように修正されたプロトコルを含むシステム構成の実施形態を示す図である。
【図５】３Ｄ復号機能を持たない受信機へ送信するために３Ｄデータを変換する実施形態を示す図である。
【図６】３Ｄビデオデータを２Ｄビデオフォーマットに変換する実施形態を示す図である。
【図７】ＨＤＭＩ  ３Ｄ−２Ｄフォーマット変換器の実施形態を示す図である。
【図８】３Ｄビデオデータを変換して利用するプロセスの実施形態を示すフロー図である。
【図９】３Ｄビデオデータを２Ｄビデオデータフォーマットで処理するプロセスの実施形態を示すフロー図である。
【図１０】電子装置の実施形態を示す図である。
【発明を実施するための形態】
【００１０】
本発明の実施形態は、一般に３次元ビデオコンテンツの送信及び処理に関する。
【００１１】
本発明の第１の態様では、方法の実施形態が、インターネットプロトコルを利用して、ビデオデータを含むマルチメディアデータストリームを受信するステップと、この受信したビデオデータが３次元（３Ｄ）ビデオデータを含み、このビデオデータの各フレームが、第１のデータ領域及び第２のデータ領域を含むアクティブデータ領域よりも前に第１の垂直同期（Ｖｓｙｎｃ）信号を含むと判断するステップとを含む。この方法は、３Ｄビデオデータを３Ｄデータフォーマットから２次元（２Ｄ）ビデオフォーマットに変換するステップをさらに含み、この３Ｄビデオデータを変換するステップは、第１のデータ領域と第２のデータ領域の間の領域を識別するステップと、第１のデータ領域と第２のデータ領域の間に第２のＶｓｙｎｃ信号を挿入するステップと、第１のデータ領域と第２のデータ領域を区別するための識別子を提供するステップとをさらに含む。
【００１２】
本発明の第２の態様では、３次元（３Ｄ）ビデオデータを２次元（２Ｄ）データフォーマットに変換するための装置の実施形態が、インターフェイスプロトコルを介してビデオデータを受信するためのポートと、この受信したビデオデータを復号するためのデコーダとを含む。この装置は、第１のデータ領域及び第２のデータ領域を含むアクティブデータ領域よりも前に第１の垂直同期（Ｖｓｙｎｃ）信号を含む受信した３Ｄビデオデータを検出するための検出器と、第１のデータ領域と第２のデータ領域の間の領域を識別するための走査線カウンタと、第１のデータ領域と第２のデータ領域の間に第２のＶｓｙｎｃ信号を挿入するための信号インサータと、変換されたビデオデータを符号化するためのエンコーダとをさらに含む。装置は、第１のデータ領域と第２のデータ領域を区別するための識別子を提供するようになっている。
【００１３】
いくつかの実施形態では、方法及び装置が、３次元ビデオコンテンツの送信及び処理を行う。
【００１４】
いくつかの実施形態では、方法及び装置が、ＨＤＭＩインターフェイスなどを介して、２次元（２Ｄ）データフォーマットへのデータ変換を含む、３次元（３Ｄ）ビデオコンテンツデータを含むマルチメディアデータストリームの送信を行う。いくつかの実施形態では、方法及び装置が、識別子を利用して変換データ内のデータ領域を区別する。いくつかの実施形態では、識別子が、位相シフトされた同期信号を含む。いくつかの実施形態では、受信装置が、この位相シフトされた同期信号を利用して３Ｄビデオコンテンツデータを検出し、この３Ｄデータ内の領域を識別する。いくつかの実施形態では、他の識別子を使用して３Ｄデータを検出し、データ領域を区別する。
【００１５】
３Ｄビデオフォーマットは、視聴者がわずかに異なる画像を各々の目で見て、画像内に奥行きの錯覚を作り出せるようにするものである。このような画像を提供するために、ＨＤＭＩ又はその他のプロトコルを介した３Ｄビデオデータの送信では、２つのアクティブビデオ領域を利用することができ、このようなビデオ領域を（視聴者の左目に対して表示されるビデオ画像に関する）左側領域及び（視聴者の右目に対して表示されるビデオ画像に関する）右側領域と呼ぶことができる。しかしながら、３Ｄは、異なるタイプのデータ領域を利用することもでき、実施形態は、左側領域及び右側領域を含むビデオデータに限定されない。実施形態は、このようなデータを転送するためのいずれの特定のインターフェイスプロトコルにも限定されるものではない。実施形態は、ＨＤＭＩに加えて、ＤＶＩ（商標）（デジタルビデオインターフェイス）（デジタル表示インターフェイス改訂１．０、デジタル・ディスプレイ・ワーキング・グループ、１９９９年４月２日、を含む）、ＤｉｓｐｌａｙＰｏｒｔ（商標）（ＤｉｓｐｌａｙＰｏｒｔバージョン１．２、ビデオ・エレクトロニクス・スタンダード・アソシエーション、２００９年１２月２２日、及び旧バージョンを含む）、及びその他のプロトコルを含むこともできる。
【００１６】
いくつかの実施形態では、２Ｄビデオフォーマットのみをサポートする既存のＨＤＭＩ装置などの既存の装置との互換性を維持するために、３Ｄビデオフォーマットから２Ｄビデオフォーマットへの変換を行う。しかしながら、従来、２Ｄビデオフォーマットは、３Ｄビデオデータのどの領域が送信中であるかを示す情報を含んでいない。いくつかの実施形態では、３Ｄビデオデータを、３Ｄビデオデータのどの領域が送信中であるかを識別する２Ｄフォーマットで送信する。いくつかの実施形態では、既存のＨＤＭＩ受信機のハードウェアの修正又はＨＤＭＩ仕様のプロトコルの侵害を伴わずにＨＤＭＩを介して３Ｄビデオデータを２Ｄビデオフォーマットで送信するための方法又は装置を提供する。いくつかの実施形態では、受信装置が、３Ｄビデオフォーマットを復号できない装置である。いくつかの実施形態では、方法又は装置が、変換されたビデオデータ内のデータ領域を区別するための識別子を提供する。
【００１７】
図１に、３Ｄビデオを２Ｄビデオフォーマットに変換するためのシステム構成の実施形態を示す。いくつかの実施形態では、方法及び装置が、３Ｄビデオデータを２Ｄビデオフォーマットに変換し、このようなデータを、既存のＨＤＭＩ受信機ハードウェアの修正又はＨＤＭＩなどのインターフェイスプロトコルの侵害を伴わずに処理するために送信する。この図では、ＨＤＭＩ送信機が、３Ｄビデオ１０５を含むマルチメディアデータストリームを送信する。３ＤビデオフォーマットのデータがＨＤＭＩ接続１１０を介して転送され、ＨＤＭＩ３Ｄ−２Ｄ変換器１１５によって受信され、この変換器１１５が、受信した３Ｄフォーマットのデータを２Ｄフォーマットに変換して、変換されたマルチメディアデータを送信する。この図では、２Ｄビデオフォーマットのデータが、ＨＤＭＩ接続１２０を介して、３Ｄビデオフォーマット復号機能１３０を持たないＨＤＭＩ受信機へ転送される。図１及び以下に示す図面は、一例としてＨＤＭＩを含むことができるが、実施形態は、データの転送に関してＨＤＭＩプロトコルに限定されるものではない。実施形態は、データを転送する上で、ＤＶＩ、ＤｉｓｐｌａｙＰｏｒｔ、及びその他のプロトコルを含むこともできる。
【００１８】
図２に、３Ｄビデオフォーマットのビデオデータを変換する実施形態を示す。この図には、３Ｄビデオフォーマット２０５のタイミング図を示しており、このビデオデータに変換２５０を行って、２Ｄビデオフォーマット２５５の３Ｄビデオを提供する。図２に示すように、３Ｄビデオフォーマット２０５には、２つの「アクティブビデオ」領域、すなわち左側領域２３０及び右側領域２４０、並びにともに３Ｄアクティブビデオを構成する「アクティブスペース」２３５が存在することができる。また、垂直同期信号（Ｖｓｙｎｃ）２１０及び水平同期信号（Ｈｓｙｎｃ）２２０も示している。
【００１９】
いくつかの実施形態では、３Ｄ復号機能を持たない既存の受信機が３Ｄビデオフォーマットを復号できるようにするために、３Ｄアクティブビデオフォーマット２０５を、２Ｄビデオフォーマット２５５に示すように、左側領域２８０及び右側領域２９０という２つの２Ｄアクティブビデオセグメントに分割する。この場合も、このフォーマットは、Ｖｓｙｎｃ信号２６０及びＨｓｙｎｃ信号２７０を含む。いくつかの実施形態では、３Ｄビデオフォーマット２０５のアクティブスペース２３５の代わりに、左側領域２８０と右側領域２９０の間に新たなＶｓｙｎｃ信号２６５を挿入して２Ｄビデオフォーマットとの互換性を維持する。いくつかの実施形態では、結果として得られるフォーマットが、２Ｄビデオフォーマットに含まれた３Ｄビデオデータとなる。
【００２０】
データ処理の潜在的な問題点は、図２に示すような３Ｄビデオデータの変換処理が、特定の時点にいずれのデータ領域が送信されているかに関する情報を保持できる点である。従って、図１に示すＨＤＭＩ受信機１３０が、図２に示すような２Ｄビデオフォーマット２５５を復号すると、受信機１３０は、現在のアクティブビデオが左側領域２８０であるか、それとも右側領域２９０であるかを判断することができない。いくつかの実施形態では、左側領域２８０と右側領域２９０を区別するための識別子を提供する。
【００２１】
図３に、データ領域タイプを示す専用信号を含むシステム構成の実施形態を示す。図３では、ＨＤＭＩ送信機が、３Ｄビデオ３０５を含むマルチメディアデータストリームを送信する。３ＤビデオフォーマットのデータがＨＤＭＩ接続３１０を介して転送され、ＨＤＭＩ  ３Ｄ−２Ｄ変換器３１５によって受信され、この変換器３１５が、受信した３Ｄフォーマットのデータを２Ｄフォーマットに変換して、変換されたマルチメディアデータを送信する。この図では、２Ｄビデオフォーマットの３Ｄデータが、３Ｄビデオフォーマット復号機能３３０を含まないＨＤＭＩ受信機へＨＤＭＩ接続３２０を介して転送される。いくつかの実施形態では、識別信号を搬送するための信号線を提供して、受信機にビデオデータの領域タイプを通知する。この図では、信号線３２５を介して転送される領域タイプを示す信号が、受信機３３０へ転送される。いくつかの実施形態では、個々のアクティブビデオ領域に関し、ＨＤＭＩ  ３Ｄ−２Ｄフォーマット変換器３１５がこの信号３２５をトグルして、ＨＤＭＩ受信機３３０にビデオデータの現在の領域タイプを通知する。図３に示す実施構成を利用して、受信したビデオデータの適切な領域タイプを識別するための単純な機構を提供することができる。しかしながら、この機構では、信号３２５を搬送する専用回線のための何らかの追加のハードウェアコストが必要となり得る。また、既存のＨＤＭＩ受信機ハードウェアでは、新たな信号３２５を受信して復号するための何らかの修正が必要となり得る。
【００２２】
図４に、領域タイプを示すように修正されたプロトコルを含むシステム構成の実施形態を示す。この図では、ＨＤＭＩプロトコルが、受信機が復号する領域タイプに関する情報を配布するように修正される。図４に示すように、ＨＤＭＩ送信機が、３Ｄビデオデータ４０５を含むマルチメディアデータストリームを送信する。３ＤビデオフォーマットのデータがＨＤＭＩ接続４１０を介して転送され、ＨＤＭＩ３Ｄ−２Ｄ変換器４１５によって受信され、この変換器４１５が、受信した３Ｄフォーマットのデータを２Ｄフォーマットに変換して、変換されたマルチメディアデータを送信する。しかしながら、２Ｄビデオフォーマットのデータは、受信機４３０が復号するための現在の領域を識別できるようにする修正ＨＤＭＩフォーマット接続４２０を利用して、ＨＤＭＩ受信機４３０へ転送される。
【００２３】
プロトコルは、ビデオデータの送信時にデータ領域の識別に使用できる未使用の制御コードを含むことができる。例えば、現在、ＨＤＭＩプロトコルには、未使用の制御コードが複数存在する。一例として、現在のＨＤＭＩ１．４プロトコルでは、ＣＴＬ０が常に論理的に高い。いくつかの実施形態では、この未使用コード又は別の未使用コードを利用して、３Ｄデータを復号できないＨＤＭＩ受信機に、データ領域の領域タイプの識別子を配布することができる。しかしながら、このコードの使用は、ＨＤＭＩのプロトコル規格と矛盾し、従ってＨＤＭＩ受信機によっては通信エラーが起きる場合がある。
【００２４】
図５に、３Ｄ復号機能を持たない受信機へ送信するために３Ｄデータを変換する実施形態を示す。この図には、左側領域５３０及び右側領域５４０という２つのアクティブビデオ領域、並びに３Ｄアクティブビデオを構成するアクティブスペース５３５を含む３Ｄビデオフォーマット５０５のタイミング図を示している。また、Ｖｓｙｎｃ信号５１０及びＨｓｙｎｃ信号５２０も示している。
【００２５】
いくつかの実施形態では、３Ｄアクティブビデオフォーマット５０５を、２Ｄビデオフォーマット５５５に示すように、左側領域５８０及び右側領域５９０という２つの２Ｄアクティブビデオセグメントに分割する。このフォーマットは、第１のＶｓｙｎｃ信号５６０及びＨｓｙｎｃ信号５７０を含む。いくつかの実施形態では、３Ｄビデオフォーマット５０５のアクティブスペース５３５の代わりに、左側領域５８０と右側領域５９０の間に新たな第２のＶｓｙｎｃ信号５６５を挿入して２Ｄビデオフォーマットとの互換性を維持する。しかしながら、いくつかの実施形態では、第１のＶｓｙｎｃ５６０が、Ｈｓｙｎｃ信号６７０に関して、第２のＶｓｙｎｃ信号５６５がデータ領域の識別子を提供するために含む同期とは異なる同期を含む。いくつかの実施形態では、第１のＶｓｙｎｃ信号５６０の位相がＨｓｙｎｃ信号と整合するのに対し、第２のＶｓｙｎｃ信号５６５の位相は、図５の非整合点５６７によって示すようにＨｓｙｎｃ信号と整合しない。
【００２６】
図６に、３Ｄビデオデータを２Ｄビデオフォーマットに変換する実施形態を示す。この図には、（走査線をインタレースしていない１０８０走査線の垂直解像度を示す）１０８０ｐの３Ｄビデオフォーマット６００のタイミング図を示している。図示のように、４５走査線の垂直空白領域（Ｖｂｌａｎｋ）の後に２２０５走査線のアクティブ期間（Ｖａｃｔｉｖｅ）が続き、このＶａｃｔｉｖｅ期間は、（図５の左側領域５３０を表すことができる）１０８０走査線の第１のアクティブビデオ領域（Ｖａｃｔ＿ｖｉｄｅｏ）、（図５のアクティブスペース５３５を表すことができる）４５走査線の介在空白領域（Ｖａｃｔ＿ｂｌａｎｋ）、及び（図５の右側領域５４０を表すことができる）１０８０走査線の第２のＶａｃｔ＿ｖｉｄｅｏ領域を含む。また、この図には、有効画素がいつ存在するかを示すデータイネーブル信号（ＤＥ）、１つのフレームの終わり及び（Ｖａｃｔｉｖｅ期間の前に存在する）次のフレームの開始を示す垂直同期信号（Ｖｓｙｎｃ６１０）、並びに各走査線の終わり及び次の走査線の開始を示す水平同期信号（Ｈｓｙｎｃ６２０）も示している。図６に示すように、Ｖｓｙｎｃ信号６１０の位相は、Ｈｓｙｎｃ信号６２０と整合又は同期する。
【００２７】
いくつかの実施形態では、３Ｄビデオフォーマット６００を、２Ｄビデオフォーマット６５０の３Ｄデータに変換する。いくつかの実施形態では、２Ｄビデオフォーマットが、異なるビデオ領域を識別するために、Ｖｓｙｎｃ信号とＨｓｙｎｃ信号の間の異なる位相整合又は同期を含む。この図では、左側領域の前のＶｓｙｎｃのタイミングが右側領域のタイミングと異なり、次のアクティブビデオの領域タイプは、ＶｓｙｎｃがＨｓｙｎｃと同期しているかどうかに依存する。図示のように、ここでも４５走査線のＶｂｌａｎｋ領域の後には、１０８０走査線のＶａｃｔ＿ｖｉｄｅｏ領域、４５走査線の介在するＶａｃｔ＿ｂｌａｎｋ領域、及び１０８０走査線の第２のＶａｃｔ＿ｖｉｄｅｏ領域が続く。また、図示の実施形態には、ＤＥ信号、１つのフレームの終わり及び（Ｖａｃｔｉｖｅ期間の前に存在する）次のフレームの開始を示す第１のＶｓｙｎｃ６６０、各走査線の終わり及び次の走査線の開始を示すＨｓｙｎｃ６７０、さらには第１のアクティブビデオ領域の終わり及び第２のアクティブビデオ領域の開始を示す第２のＶｓｙｎｃ信号６６５も示している。いくつかの実施形態では、第１のＶｓｙｎｃ信号６６０の位相は、３Ｄビデオフォーマットと同様にＨｓｙｎｃ信号６７０と整合又は同期するが、第２のＶｓｙｎｃ信号６６５の位相は、Ｈｓｙｎｃ信号６７０と整合又は同期しない６６７。いくつかの実施形態では、受信装置が、Ｖｓｙｎｃ及びＨｓｙｎｃ信号の位相整合を利用して３Ｄビデオデータを識別し、いずれのビデオデータ領域を受信中であるかを判断することができる。例えば、受信装置は、Ｈｓｙｎｃ信号と同期しているＶｓｙｎｃ信号の後には、左側ビデオデータ領域を受信していると判断することができ、一方でＨｓｙｎｃ信号と同期していないＶｓｙｎｃ信号の後には、右側ビデオデータ領域を受信していると判断することができる。
【００２８】
いくつかの実施形態では、２Ｄビデオフォーマット６５０のタイミングが、既存のＨＤＭＩ信号のインターレースモードのビデオフォーマットのタイミングと同じであり、左側領域及び右側領域の代わりに偶数及び奇数フィールドが識別される。いくつかの実施形態では、追加のハードウェア修正を伴わずに、又は最低限のハードウェア修正で３Ｄビデオデータを２Ｄビデオフォーマットで復号するために、既存のＨＤＭＩ受信機内のインターレースモードのビデオのための復号ハードウェアを利用することができる。いくつかの実施形態では、第２のＶｓｙｎｃ信号間に位相整合が存在しないことを利用して、インターレースビデオと３Ｄビデオデータを区別することができる。
【００２９】
図７に、ＨＤＭＩ  ３Ｄ−２Ｄフォーマット変換器の実施形態を示す。いくつかの実施形態では、ビデオデータを含む送信されたマルチメディアデータが、３Ｄ−２Ｄ変換器又は機構によって受信される。いくつかの実施形態では、ＨＤＭＩ  ３Ｄ−２Ｄフォーマット変換器７１５が、ＨＤＭＩインターフェイス７１０を介して３Ｄビデオフォーマットのデータを受信し、転送のために２Ｄビデオフォーマットデータに変換されたデータを、ＨＤＭＩインターフェイス７３０を介して送信する。いくつかの実施形態では、変換器７１５が、データデコーダ（ｄｖｉ＿ｄｅｃ、ＤＶＩはデジタルビジュアルインターフェイス規格を表す）７５０を含むモジュール又は要素を含み、復号データが、走査線カウンタ７５５、Ｖｓｙｎｃインサータ７６０、及び３Ｄ検出器７６５を含むモジュール又は要素に提供される。いくつかの実施形態では、３Ｄ検出器７６５が、受信したデータパケットを分析して、着信ＨＤＭＩストリームが２Ｄビデオであるか、それとも３Ｄビデオであるかを判定する。いくつかの実施形態では、３Ｄビデオデータが検出されない場合、データを通常の２Ｄビデオデータとして処理することができる。いくつかの実施形態では、３Ｄビデオフォーマットが検出された場合、走査線カウンタ７５５が走査線をカウントして、この３Ｄビデオフォーマット内の（図５にアクティブスペース５３５として示す）アクティブスペースの位置を発見する。いくつかの実施形態では、Ｖｓｙｎｃインサータ７６０が、このアクティブスペースの代わりに第２のＶｓｙｎｃ信号を挿入する。いくつかの実施形態では、ＨＤＭＩ受信機が左側領域データと右側領域データを識別できるように、Ｖｓｙｎｃインサータ７６０が、次のアクティブビデオの領域タイプに従って、挿入されたＶｓｙｎｃ信号の位相をＨｓｙｎｃ信号に対してシフトする。いくつかの実施形態では、ＨＤＭＩ受信機が、たとえ３Ｄビデオフォーマットを復号できない場合でも、ハードウェアを修正することなくＶｓｙｎｃ信号とＨｓｙｎｃ信号の間の位相関係を使用して３Ｄビデオを再構成することができる。いくつかの実施形態では、変換されたビデオデータがビデオデータエンコーダ（ｄｖｉ＿ｅｎｃ）７７０に提供され、結果として得られた２Ｄビデオデータが、３Ｄデータを復号できないデータ受信装置を含むことができるデータ受信機へＨＤＭＩインターフェイス７３０を介して送信される。
【００３０】
図８は、３Ｄビデオデータを変換して利用するプロセスの実施形態を示すフロー図である。この図に示すように、ＨＤＭＩ  ３Ｄ対応ビデオ送信機とすることができるビデオ送信機から、ビデオデータストリームを送信することができる８０２。いくつかの実施形態では、このビデオデータを、図７に示す変換器７１５などの３Ｄ−２Ｄビデオデータ変換器によって受信し８０４、データフレームを復号する８０６。いくつかの実施形態では、変換器が、データフレームに３Ｄビデオデータが含まれているかどうかを検出することができる８０８。３Ｄビデオデータが検出されない場合、２Ｄデータを通常の方法で処理し、このデータを送信のために符号化し８１０、処理のために受信装置に提供することができる８２２。
【００３１】
いくつかの実施形態では、データフレーム内で３Ｄビデオデータが検出された８０８場合、このデータフレーム内のＶｓｙｎｃ信号を発見して８１２、この３Ｄビデオデータを変換するためにデータフレーム内のアクティブデータの開始点を特定し、このビデオデータフレームは、Ｖｓｙｎｃ信号の後に第１のデータ領域を含む。いくつかの実施形態では、３Ｄの変換が、アクティブデータの走査線をカウントしてデータフレーム内のアクティブスペースの位置を特定すること８１４をさらに含み、走査線の数は、１０８０ｐビデオデータでは１０８０本と考えることができる。いくつかの実施形態では、第１の／左側のデータ領域の終わり及び第２の／右側のデータ領域の開始を示すために、データフレームに第２のＶｓｙｎｃ信号を挿入し８１６、このようにして２Ｄフォーマットの３Ｄビデオデータを生成する。いくつかの実施形態では、データ領域を区別するための識別子を提供する。この図では、第１のＶｓｙｎｃの位相がＨｓｙｎｃ信号と整合できるのに対し、第２のＶｓｙｎｃの位相を、いずれのＨｓｙｎｃ信号とも整合しないように調整して、データフレーム内の第２の／右側のデータ領域を識別することができる８１８。いくつかの実施形態では、２Ｄビデオフォーマットの３Ｄビデオデータを送信のために符号化して８２０、受信装置に提供する８２２。
【００３２】
図９は、２Ｄビデオデータフォーマットの３Ｄビデオデータを処理するプロセスの実施形態を示すフロー図である。この図では、３Ｄデータ復号能力を持たない装置である受信装置においてビデオデータが受信される９０２。いくつかの実施形態では、受信装置において２Ｄビデオフォーマットの３Ｄビデオデータが受信されたかどうかが判定され９０４、この３Ｄビデオデータの存在は、３Ｄビデオデータのデータ領域を区別するための識別子の存在に少なくとも部分的に基づくことができる。いくつかの実施形態では、Ｈｓｙｎｃ信号と位相整合してないＶｓｙｎｃ信号を含む識別子の存在により、データ領域を区別するための分離信号の受信により、又はデータ領域を区別するためのコマンドの受信により、３Ｄデータを検出することができる。いくつかの実施形態では、受信装置が、インターレースモードビデオのための復号ハードウェアを含むことができ、追加のハードウェア修正を伴わずに、又は最低限のハードウェア修正でこのようなハードウェアを利用することができる。
【００３３】
いくつかの実施形態では、３Ｄデータが存在しない場合、２Ｄデータが通常の方法で処理される９０６。３Ｄビデオデータが存在する場合、受信機は、受信したデータフレーム内の各データ領域に関する識別子を検出し９０８、この識別子が第１の値であるか、それとも第２の値であるかを判定する９１２。第２のＶｓｙｎｃ信号がＨｓｙｎｃ信号と同相である場合などのように、識別子が第１の値である場合、受信機は、次のデータ領域を第１の／左側の領域のデータとして識別する９１４。Ｖｓｙｎｃ信号がＨｓｙｎｃ信号と同相でない場合などのように、識別子が第２の値である場合、受信機は、次のデータ領域を第２の／右側の領域のデータとして識別する９１６。
【００３４】
受信機は、受信ビデオデータの処理を完了すると、この別個のデータ領域に存在する受信ビデオデータを３Ｄ表示のために３Ｄフォーマットに再構成する９２０。その後、再構成された３Ｄビデオデータを３Ｄビデオモニタ上に表示することができる９２２。
【００３５】
図１０に、電子装置の実施形態を示す。この図には、本説明とは関係のない標準的かつ周知の構成要素は示していない。いくつかの実施形態では、装置１０００が、３Ｄビデオデータを送信する送信装置、又は３Ｄビデオデータを受信する受信装置である。
【００３６】
いくつかの実施形態では、装置１０００が、相互接続部又はクロスバー１００５、或いはデータを送信するためのその他の通信手段を備える。データは、例えば、オーディオビジュアルデータ及び関連する制御データを含む様々なタイプのデータを含むことができる。装置１０００は、相互接続部１００５に結合された１又はそれ以上のプロセッサ１０１０などの、情報を処理するための処理手段を含むことができる。プロセッサ１０１０は、１又はそれ以上の物理プロセッサ及び１又はそれ以上の論理プロセッサを含むことができる。さらに、プロセッサ１０１０の各々は、マルチプロセッサコアを含むことができる。例えば、受信したビデオデータを送信又は処理するためのビデオデータの処理において、プロセッサ１０１０を利用することができる。簡単にするために、相互接続部１００５を単一の相互接続部として示しているが、この相互接続部１００５は、複数の異なる相互接続部又はバスを表すことができ、このような相互接続部への構成要素の接続は様々であってよい。図１０に示す相互接続部１００５は、適当なブリッジ、アダプタ、又はコントローラによって接続されたいずれか１つ又はそれ以上の別個の物理バス、ポイントツーポイント接続、又はこれらの両方を表す抽象表現である。相互接続部１００５は、例えば、システムバス、ＰＣＩ又はＰＣＩｅバス、ＨｙｐｅｒＴｒａｎｓｐｏｒｔ又は業界標準アーキテクチャ（ＩＳＡ）バス、小型コンピュータシステムインターフェイス（ＳＣＳＩ）バス、ＩＩＣ（Ｉ２Ｃ）バス、又は「ファイヤワイヤ」と呼ばれることもある米国電気電子技術者協会（ＩＥＥＥ）規格１３９４バスを含むことができる（「高性能シリアルバス標準（Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ）」１３９４〜１９９５ページ、ＩＥＥＥ、１９９６年８月３０日刊行、及び補足）。
【００３７】
いくつかの実施形態では、装置１０００が、情報及びプロセッサ１０１０が実行すべき命令を記憶するためのメインメモリ１０１５として、ランダムアクセスメモリ（ＲＡＭ）又はその他の動的記憶装置をさらに含む。メインメモリ１０１５を、データストリーム又はサブストリームのデータの記憶に使用することもできる。ＲＡＭメモリは、メモリコンテンツの更新を必要とする動的ランダムアクセスメモリ（ＤＲＡＭ）、及びコンテンツの更新を必要としないがコストのかかる静的ランダムアクセスメモリ（ＳＲＡＭ）を含む。ＤＲＡＭメモリは、信号を制御するためのクロック信号を含む同期型動的ランダムアクセスメモリ（ＳＤＲＡＭ）、及び拡張データ出力型動的ランダムアクセスメモリ（ＥＤＯ  ＤＲＡＭ）を含むことができる。いくつかの実施形態では、システムのメモリが、何らかのレジスタ又はその他の特定用途向けメモリを含むことができる。装置１０００は、静的情報及びプロセッサ１０１０のための命令を記憶する読み出し専用メモリ（ＲＯＭ）１０２５又はその他の静的記憶装置を含むこともできる。装置１０００は、いくつかの要素を記憶するための１又はそれ以上の不揮発性メモリ要素１０３０を含むこともできる。
【００３８】
装置１０００の相互接続部１００５には、情報及び命令を記憶するためのデータストレージ１０２０を結合することもできる。データストレージ１０２０は、磁気ディスク又はその他のメモリ装置を含むことができる。このような要素は、互いに組み合わせても、又は別個の構成要素であってもよく、また装置１０００のその他の要素の一部を利用することもできる。
【００３９】
相互接続部１００５を介して、装置１０００を出力ディスプレイ又は表示装置１０４０に結合することもできる。いくつかの実施形態では、ディスプレイ１０４０が、液晶ディスプレイ（ＬＣＤ、又はエンドユーザに情報又はコンテンツを表示するための他のいずかのディスプレイ技術）を含むことができる。いくつかの環境では、ディスプレイ１０４０が、入力装置の少なくとも一部としても利用されるタッチスクリーンを含むことができる。いくつかの実施形態では、ディスプレイ１０４０を３Ｄビデオデータの表示に利用することができる。いくつかの環境では、ディスプレイ１０４０が、テレビ番組のオーディオ部分を含むオーディオ情報を提供するためのスピーカなどのオーディオ装置であってもよく、又はこのようなオーディオ装置を含むことができる。
【００４０】
相互接続部１００５には、１又はそれ以上の送信機又は受信機１０４５を結合することもできる。いくつかの実施形態では、装置１０００が、データを受信又は送信するための１又はそれ以上のポート１０５０を含むことができる。いくつかの実施形態では、この１又はそれ以上のポートが、１又はそれ以上のＨＤＭＩポートを含むことができる。いくつかの実施形態では、３Ｄデータを３Ｄビデオフォーマットから２Ｄビデオフォーマットに変換するための３Ｄ−２Ｄ変換器１０９０にＨＤＭＩを結合することができる。装置１０００は、Ｗｉ−Ｆｉネットワークなどの無線信号を介してデータを受信するための１又はそれ以上のアンテナ１０５５をさらに含むことができる。
【００４１】
装置１０００は、電力供給装置、バッテリ、太陽電池、燃料電池、或いは電力を供給又は生成するためのその他のシステム又は装置を含むことができる電源装置又はシステム１０６０を備えることができる。この電源装置又はシステム１０６０により供給される電力を、必要に応じて装置１０００の要素に分散することができる。
【００４２】
上述の説明では、本発明を完全に理解できるようにするために、説明を目的として数多くの特定の詳細を示した。しかしながら、当業者には、これらの特定の詳細のいくつかを伴わずに本発明を実施できることが明らかであろう。その他の場合、周知の構造及び装置についてはブロック図形式で示している。図示の構成要素間には、中間構造が存在してもよい。本明細書で説明又は図示した構成要素は、図示又は説明してない追加の入力部又は出力部を有することができる。また、図示の要素又は構成要素を、いずかのフィールドの並べ換え又はフィールドサイズの修正を含む異なる構成又は順序で配置することもできる。
【００４３】
本発明は、様々なプロセスを含むことができる。本発明のプロセスをハードウェア構成要素によって実行することもでき、又はコンピュータ可読命令に具体化し、これを使用して汎用又は専用プロセッサ、又は命令をプログラムした論理回路がプロセスを実行するようにすることもできる。或いは、ハードウェアとソフトウェアの組み合わせによってプロセスを実行することもできる。
【００４４】
本発明の一部を、コンピュータプログラム命令を記憶したコンピュータ可読記憶媒体を含むことができるコンピュータプログラム製品として提供し、これを使用して、本発明によるプロセスを実行するようにコンピュータ（又はその他の電子装置）をプログラムすることもできる。コンピュータ可読記憶媒体としては、以下に限定されるわけではないが、フロッピー（登録商標）ディスケット、光学ディスク、ＣＤ−ＲＯＭ（コンパクトディスク読出し専用メモリ）、及び磁気光学ディスク、ＲＯＭ（読出し専用メモリ）、ＲＡＭ（ランダムアクセスメモリ）、ＥＰＲＯＭ（消去可能プログラム可能読出し専用メモリ）、ＥＥＰＲＯＭ（電気的消去可能プログラム可能読出し専用メモリ）、磁気又は光学カード、フラッシュメモリ、又は電子命令を記憶するのに適したその他の種類の媒体／コンピュータ可読媒体を挙げることができる。さらに、本発明をコンピュータプログラム製品としてダウンロードし、このプログラムをリモートコンピュータから要求側コンピュータへ転送することもできる。
【００４５】
方法の多くをその最も基本的な形で説明しているが、本発明の基本的範囲から逸脱することなく、これらの方法のいずれかに対して処理の追加又は削除を行うことができ、また説明したメッセージのいずれかに対して情報の追加又は削除を行うことができる。当業者には、多くのさらなる修正及び適合を行い得ることが明らかであろう。特定の実施形態は、本発明を限定するためではなく、例示するために提供したものである。
【００４６】
要素「Ａ」が要素「Ｂ」に又は要素「Ｂ」と結合されると言う場合、要素Ａを要素Ｂに直接結合することもでき、又は要素Ｃなどを介して間接的に結合することもできる。本明細書に、構成要素、特徴、構造、プロセス、又は特性Ａが、構成要素、特徴、構造、プロセス、又は特性Ｂを「もたらす（ｃａｕｓｅｓ）」と記載している場合、これは、「Ａ」が「Ｂ」の少なくとも部分的な原因ではあるが、「Ｂ」をもたらす上で支援となる少なくとも１つの他の構成要素、特徴、構造、プロセス、又は特性も存在できることを意味する。本明細書に、構成要素、特徴、構造、プロセス、又は特性を含めることが「できる（ｍａｙ、ｍｉｇｈｔ、又はｃｏｕｌｄ）」と示している場合、この特定の構成要素、特徴、構造、プロセス、又は特性を含める必要性はない。本明細書において、「１つの（英文不定冠詞）」要素について言及している場合、これは、記載する要素が１つしか存在しないことを意味するものではない。
【００４７】
実施形態は、本発明の実施構成又は実施例である。本明細書における、「ある実施形態」、「１つの実施形態」、「いくつかの実施形態」、又は「他の実施形態」についての言及は、実施形態に関連して説明する特定の特徴、構造、又は特性が少なくともいくつかの実施形態に含まれるが、必ずしも全ての実施形態には含まれるわけではないことを意味する。様々な箇所で出現する「ある実施形態」、「１つの実施形態」、又は「いくつかの実施形態」は、必ずしも全てが同じ実施形態を示すものではない。上述の本発明の例示的な実施形態についての説明では、本開示を簡素化するとともに様々な本発明の態様の１又はそれ以上についての理解を助長する目的で、１つの実施形態、図、又はその説明内で本発明の様々な特徴を１つにまとめていることがあると理解されたい。
【符号の説明】
【００４８】
７１０  ＨＤＭＩを介した３Ｄビデオフォーマット
７１５  ＨＤＭＩ  ３Ｄ−２Ｄフォーマット変換器
７５５  走査線カウンタ
７６０  Ｖｓｙｎｃインサータ
７６５  ３Ｄ検出器
７３０  ＨＤＭＩを介した２Ｄビデオフォーマット
【図１】
2013514742.tif 000003
【図２】
2013514742.tif 000004
【図３】
2013514742.tif 000005
【図４】
2013514742.tif 000006
【図５】
2013514742.tif 000007
【図６】
2013514742.tif 000008
【図７】
2013514742.tif 000009
【図８】
2013514742.tif 000010
【図９】
2013514742.tif 000011
【図１０】
2013514742.tif 000012
【国際調査報告】
2013514742.tif 000013
2013514742.tif 000014